(57)【要約】  記録媒体集積部（１１）から供給された記録媒体（Ｐ）を搬送する搬送手段（１１ａ、１２、１３、２１、３１、３２）と、搬送手段により搬送される記録媒体（Ｐ）に対して画像を記録する記録手段（２３１）と、画像記録命令に基づいて記録手段（２３１）に画像を記録させる記録制御手段（４１）と、実行中の画像記録命令が中止されたときに搬送手段により搬送されていた記録媒体（Ｐ）の種別を示す現種別と、次の画像記録命令において設定されている記録媒体（Ｐ）の種別を示す次種別とが同一であるか否かを判別する記録媒体判別手段（４１）と、記録媒体判別手段（４１）により現種別と次種別とが同一であると判別された場合に、記録媒体集積部（１１）から供給され記録手段（２３１）による画像の記録が行われる前の記録準備状態にある記録媒体（Ｐ）のうち少なくとも一部を搬送手段により記録準備状態に維持させる搬送制御手段（４１）と、を備えた画像記録装置。
2016117351.tif 000002
【特許請求の範囲】
【請求項１】
記録媒体が集積された記録媒体集積部から供給された記録媒体を搬送する搬送手段と、  前記搬送手段により搬送される記録媒体に対して画像を記録する記録手段と、  画像記録命令に基づいて前記記録手段に画像を記録させる記録制御手段と、  実行中の前記画像記録命令が前記記録制御手段により中止されたときに前記搬送手段により搬送されていた記録媒体の種別を示す現種別と、当該中止された画像記録命令の次の画像記録命令において設定されている記録媒体の種別を示す次種別とが同一であるか否かを判別する記録媒体判別手段と、  前記記録媒体判別手段により前記現種別と前記次種別とが同一であると判別された場合に、前記記録媒体集積部から供給され前記記録手段による画像の記録が行われる前の記録準備状態にある記録媒体のうち少なくとも一部を前記搬送手段により当該記録準備状態に維持させる搬送制御手段と、  を備えることを特徴とする画像記録装置。
【請求項２】
前記搬送制御手段は、前記記録制御手段が前記次の画像記録命令に基づいて前記記録手段に画像を記録させる場合において、前記記録準備状態に維持された記録媒体があるか否かを判別し、当該記録準備状態に維持された記録媒体がある場合に当該記録媒体を前記搬送手段により搬送させ、当該記録準備状態に維持された記録媒体がない場合に前記記録媒体集積部から前記搬送手段に供給された記録媒体を前記搬送手段により搬送させることを特徴とする請求項１記載の画像記録装置。
【請求項３】
前記記録媒体集積部から前記搬送手段に供給された記録媒体を前記記録媒体集積部に搬送する記録媒体返送手段を備え、  前記搬送制御手段は、前記記録媒体判別手段により前記現種別と前記次種別とが異なると判別された場合に、前記記録準備状態にある記録媒体のうち前記記録媒体返送手段により搬送可能な少なくとも一部を当該記録媒体返送手段により前記記録媒体集積部に搬送させる  ことを特徴とする請求項１又は２記載の画像記録装置。
【請求項４】
前記搬送手段により搬送される記録媒体の排出先を切り替える切替手段を備え、  前記搬送制御手段は、前記記録媒体判別手段により前記現種別と前記次種別とが異なると判別された場合に、前記切替手段により前記排出先の切り替えを行わせて、前記記録手段により画像が記録された記録媒体と前記記録準備状態にある記録媒体とを前記搬送手段により互いに異なる排出先に搬送させる  ことを特徴とする請求項１又は２記載の画像記録装置。
【請求項５】
前記記録制御手段は、前記画像記録命令を中止させると判断したときに前記記録手段により記録媒体に対して画像の記録が行われている場合に、当該記録手段による当該記録媒体への画像の記録が終了した後に当該記録手段による画像の記録を中止させることを特徴とする請求項１〜４の何れか一項記載の画像記録装置。
【請求項６】
前記搬送手段は、  前記記録媒体集積部から供給された記録媒体を搬送する第１搬送部と、  前記第１搬送部により搬送された記録媒体を搬送する第２搬送部と、  を備え、  前記記録手段は、前記第２搬送部により搬送される記録媒体に画像を記録し、  前記搬送制御手段は、前記記録媒体判別手段により前記現種別と前記次種別とが同一であると判別された場合に、前記第１搬送部により搬送されていた前記記録準備状態の記録媒体を当該記録準備状態に維持させる  ことを特徴とする請求項１〜５の何れか一項記載の画像記録装置。
【請求項７】
記録媒体が集積された記録媒体集積部から供給された記録媒体を搬送する搬送手段と、前記搬送手段により搬送される記録媒体に対して画像を記録する記録手段と、を備えた画像記録装置による画像記録方法であって、  画像記録命令に基づいて前記記録手段に画像を記録させる記録ステップ、  前記記録ステップで実行中の前記画像記録命令を中止する記録中止ステップ、  前記実行中の画像記録命令が前記記録中止ステップで中止されたときに前記搬送手段により搬送されていた記録媒体の種別を示す現種別と、当該中止された画像記録命令の次の画像記録命令において設定されている記録媒体の種別を示す次種別とが同一であるか否かを判別する記録媒体判別ステップ、  前記記録媒体判別ステップで前記現種別と前記次種別とが同一であると判別された場合に、前記記録媒体集積部から供給され前記記録手段による画像の記録が行われる前の記録準備状態にある記録媒体のうち少なくとも一部を前記搬送手段により当該記録準備状態に維持させる搬送制御ステップ、  を含むことを特徴とする画像記録方法。
【発明の詳細な説明】
【技術分野】
【０００１】  本発明は、画像記録装置及び画像記録方法に関する。
【背景技術】
【０００２】  従来、搬送手段により搬送される記録媒体に対して画像を記録する画像記録装置がある。このような画像記録装置には、予めフィーダーパイルボードなどの記録媒体集積部から搬送手段に複数の記録媒体を供給し、当該供給された記録媒体を搬送手段で順に搬送して画像の記録を行うものがある。例えば特許文献１には、搬送手段としてフィーダーボード、圧胴などを含み、予めフィーダーボードに記録媒体を供給してから当該記録媒体を圧胴などにより搬送して画像の記録を行う画像記録装置が開示されている。また、特許文献２には、画像の記録を行う際に予めフィーダーボードに複数の記録媒体を供給する画像記録装置が開示されている。このような構成により、円滑かつ速やかに記録媒体を供給、搬送して画像の記録を行うことができる。
【先行技術文献】
【特許文献】
【０００３】
【特許文献１】特開２０１２−２４６１３６号公報
【特許文献２】特開２０１３−１９９３７０号公報
【発明の概要】
【発明が解決しようとする課題】
【０００４】  しかしながら、特に、複数の種別の記録媒体を使い分けて画像の記録を行う画像記録装置では、実行中の画像記録動作が中止された場合に、予め搬送手段に供給され未だ画像が記録されていない記録媒体が排紙部に搬送されていた。このため、次の画像記録動作を開始する場合に改めて記録媒体集積部から搬送手段へ記録媒体を供給する必要があり、次の画像記録動作が開始されるまでに毎回時間がかかるという課題があった。【０００５】  この発明の目的は、記録媒体をより効率良く搬送して画像を記録することができる画像記録装置及び画像記録方法を提供することにある。
【課題を解決するための手段】
【０００６】  上記目的を達成するため、請求項１に記載の画像記録装置の発明は、  記録媒体が集積された記録媒体集積部から供給された記録媒体を搬送する搬送手段と、  前記搬送手段により搬送される記録媒体に対して画像を記録する記録手段と、  画像記録命令に基づいて前記記録手段に画像を記録させる記録制御手段と、  実行中の前記画像記録命令が前記記録制御手段により中止されたときに前記搬送手段により搬送されていた記録媒体の種別を示す現種別と、当該中止された画像記録命令の次の画像記録命令において設定されている記録媒体の種別を示す次種別とが同一であるか否かを判別する記録媒体判別手段と、  前記記録媒体判別手段により前記現種別と前記次種別とが同一であると判別された場合に、前記記録媒体集積部から供給され前記記録手段による画像の記録が行われる前の記録準備状態にある記録媒体のうち少なくとも一部を前記搬送手段により当該記録準備状態に維持させる搬送制御手段と、  を備えることを特徴としている。【０００７】  請求項２に記載の発明は、請求項１に記載の画像記録装置において、  前記搬送制御手段は、前記記録制御手段が前記次の画像記録命令に基づいて前記記録手段に画像を記録させる場合において、前記記録準備状態に維持された記録媒体があるか否かを判別し、当該記録準備状態に維持された記録媒体がある場合に当該記録媒体を前記搬送手段により搬送させ、当該記録準備状態に維持された記録媒体がない場合に前記記録媒体集積部から前記搬送手段に供給された記録媒体を前記搬送手段により搬送させることを特徴としている。【０００８】  請求項３記載の発明は、請求項１又は２に記載の画像記録装置において、  前記記録媒体集積部から前記搬送手段に供給された記録媒体を前記記録媒体集積部に搬送する記録媒体返送手段を備え、  前記搬送制御手段は、前記記録媒体判別手段により前記現種別と前記次種別とが異なると判別された場合に、前記記録準備状態にある記録媒体のうち前記記録媒体返送手段により搬送可能な少なくとも一部を当該記録媒体返送手段により前記記録媒体集積部に搬送させる  ことを特徴としている。【０００９】  請求項４に記載の発明は、請求項１又は２に記載の画像記録装置において、  前記搬送手段により搬送される記録媒体の排出先を切り替える切替手段を備え、  前記搬送制御手段は、前記記録媒体判別手段により前記現種別と前記次種別とが異なると判別された場合に、前記切替手段により前記排出先の切り替えを行わせて、前記記録手段により画像が記録された記録媒体と前記記録準備状態にある記録媒体とを前記搬送手段により互いに異なる排出先に搬送させる  ことを特徴としている。【００１０】  請求項５に記載の発明は、請求項１〜４の何れか一項に記載の画像記録装置において、  前記記録制御手段は、前記画像記録命令を中止させると判断したときに前記記録手段により記録媒体に対して画像の記録が行われている場合に、当該記録手段による当該記録媒体への画像の記録が終了した後に当該記録手段による画像の記録を中止させることを特徴としている。【００１１】  請求項６に記載の発明は、請求項１〜５の何れか一項に記載の画像記録装置において、  前記搬送手段は、  前記記録媒体集積���から供給された記録媒体を搬送する第１搬送部と、  前記第１搬送部により搬送された記録媒体を搬送する第２搬送部と、  を備え、  前記記録手段は、前記第２搬送部により搬送される記録媒体に画像を記録し、  前記搬送制御手段は、前記記録媒体判別手段により前記現種別と前記次種別とが同一であると判別された場合に、前記第１搬送部により搬送されていた前記記録準備状態の記録媒体を当該記録準備状態に維持させる  ことを特徴としている。【００１２】  また、上記目的を達成するため、請求項７に記載の画像記録方法の発明は、  記録媒体が集積された記録媒体集積部から供給された記録媒体を搬送する搬送手段と、前記搬送手段により搬送される記録媒体に対して画像を記録する記録手段と、を備えた画像記録装置による画像記録方法であって、  画像記録命令に基づいて前記記録手段に画像を記録させる記録ステップ、  前記記録ステップで実行中の前記画像記録命令を中止する記録中止ステップ、  前記実行中の画像記録命令が前記記録中止ステップで中止されたときに前記搬送手段により搬送されていた記録媒体の種別を示す現種別と、当該中止された画像記録命令の次の画像記録命令において設定されている記録媒体の種別を示す次種別とが同一であるか否かを判別する記録媒体判別ステップ、  前記記録媒体判別ステップで前記現種別と前記次種別とが同一であると判別された場合に、前記記録媒体集積部から供給され前記記録手段による画像の記録が行われる前の記録準備状態にある記録媒体のうち少なくとも一部を前記搬送手段により当該記録準備状態に維持させる搬送制御ステップ、  を含むことを特徴としている。
【発明の効果】
【００１３】  本発明に従うと、記録媒体をより効率良く搬送して画像を記録することができるという効果がある。
【図面の簡単な説明】
【００１４】
【図１】本発明の画像記録装置の実施形態であるインクジェット記録装置の概略構成を示す図である。
【図２】インクジェット記録装置の主要な機能構成を示すブロック図である。
【図３Ａ】ジョブの内容例を説明する図である。
【図３Ｂ】ジョブに係る設定情報の内容例を説明する図である。
【図４】画像記録処理の制御手順を示すフローチャートである。
【図５】ジョブ中止処理の制御手順を示すフローチャートである。
【図６】変形例１に係る給紙部及び記録媒体返送部の概略構成を示す図である。
【図７】変形例２に係る排紙部の概略構成を示す図である。
【発明を実施するための形態】
【００１５】  以下、本発明の画像記録装置及び画像記録方法に係る実施の形態を図面に基づいて説明する。
【００１６】  図１は、本発明の画像記録装置の実施形態であるインクジェット記録装置１の概略構成を示す図である。  インクジェット記録装置１は、給紙部１０と、画像記録部２０と、排紙部３０と、制御部４０（図２）とを備える。インクジェット記録装置１は、制御部４０による制御下で、給紙部１０に格納された記録媒体Ｐを画像記録部２０に供給し、画像記録部２０で記録媒体Ｐに画像を記録（印刷）し、画像が記録された記録媒体Ｐを排紙部３０に搬送する。記録媒体Ｐとしては、紙、布帛又はシート状の樹脂等、表面に吐出されたインク（色材）を固着させることが可能な種々の媒体を用いることができる。
【００１７】  給紙部１０は、フィーダーパイルボード１１（記録媒体集積部）と、フィーダーボード１２（第１搬送部）と、受け渡しドラム１３とを有する。  フィーダーパイルボード１１は、所定の種別の記録媒体Ｐが集積されて格納される給紙トレーである。フィーダーパイルボード１１に集積された記録媒体Ｐは、搬出ローラー１１ａにより複数の記録媒体Ｐのうち隣り合う記録媒体Ｐが所定量ずつ記録媒体Ｐの搬出方向にずらされて重ねられた状態でフィーダーパイルボード１１から搬出されて、当該重ねられた状態でフィーダーボード１２に供給される。なお、記録媒体Ｐの供給の態様は上記に限られず、フィーダーパイルボード１１から搬出された複数の記録媒体Ｐが互いに重ならない状態で各々別個にフィーダーボード１２に供給されてフィーダーボード１２に載置される態様であってもよい。
【００１８】  フィーダーボード１２は、内側が２本の搬送ローラー１２ａにより支持された輪状のベルト１２ｂを備える。フィーダーボード１２は、記録媒体Ｐがベルト１２ｂの外周面上に載置された状態で搬送ローラー１２ａが回転してベルト１２ｂが移動することにより記録媒体Ｐを搬送する。フィーダーボード１２は、フィーダーパイルボード１１から複数枚重ねられた状態で引き渡された複数の記録媒体Ｐを当該重ねられた状態で搬送する。
【００１９】  受け渡しドラム１３は、フィーダーボード１２により搬送された記録媒体Ｐを画像記録部２０の搬送装置２１（第２搬送部）に引き渡す。受け渡しドラム１３は、フィーダーボード１２と搬送装置２１との間の位置に設けられ、フィーダーボード１２により搬送された記録媒体Ｐの一端を保持して取り上げて１枚ずつ搬送装置２１に引き渡す。なお、フィーダーボード１２と受け渡しドラム１３との間に、フィーダーボード１２から受け渡しドラム１３へ記録媒体Ｐを受け渡すスイングアーム部が設けられていてもよい。また、フィーダーボード１２から搬送装置２１へ記録媒体Ｐを受け渡す機構は受け渡しドラム１３を用いたものに限られず、他の公知の機構を用いてもよい。
【００２０】  画像記録部２０は、搬送装置２１と、加熱部２２と、ヘッドユニット２３と、定着部２４とを有する。
【００２１】  搬送装置２１は、内側が２本の搬送ローラー２１ａにより支持された輪状の搬送ベルト２１ｂを備える。搬送装置２１は、搬送ベルト２１ｂの外周面上に受け渡しドラム１３から引き渡された記録媒体Ｐが載置された状態で搬送ローラー２１ａが回転して搬送ベルト２１ｂが移動することで記録媒体Ｐを搬送ベルト２１ｂの移動方向（搬送方向）に搬送する。
【００２２】  加熱部２２は、搬送装置２１の外周面に載置された記録媒体Ｐを加熱する。加熱部２２は、例えば、赤外線ヒーター等を有し、当該赤外線ヒーターは通電に応じて発熱する。加熱部２２は、搬送装置２１の外周面の近傍であって、記録媒体Ｐの搬送方向についてヘッドユニット２３の上流側に位置するよう設けられる。加熱部２２は、搬送装置２１の外周面に載置されて加熱部２２の近傍を通過する記録媒体Ｐが所定の温度となるようにその発熱を制御部４０により制御される。
【００２３】  ヘッドユニット２３は、搬送装置２１の外周面に載置された記録媒体Ｐに対してインクを吐出して画像を記録する。ヘッドユニット２３は、インク吐出面が搬送装置２１の外周面に対向して所定の距離を置いて配置される。本実施形態のインクジェット記録装置１は、イエロー（Ｙ）、マゼンタ（Ｍ）、シアン（Ｃ）、ブラック（Ｋ）の４色のインクにそれぞれ対応する４つのヘッドユニット２３Ｙ，２３Ｍ，２３Ｃ，２３Ｋ（以下、単にヘッドユニット２３とも記す）を備え、これら４つのヘッドユニット２３は、記録媒体Ｐの搬送方向に沿って上流側からＹ，Ｍ，Ｃ，Ｋの色の順に所定の間隔で配列されている。
【００２４】  各ヘッドユニット２３は、複数の記録素子が配列された記録ヘッド２３１（図２）（記録手段）を複数（例えば４つ）備える。記録ヘッド２３１に含まれる記録素子の各々は、インクを貯留する圧力室と、圧力室の壁面に設けられた圧電素子と、ノズルとを含む。記録ヘッド２３１の駆動回路から圧電素子へ駆動電圧が印加されると、駆動電圧の大きさに応じて圧力室内の圧力が変化し、圧力室に連通するノズルからインクが吐出される。記録素子のノズルは、ヘッドユニット２３の搬送装置２１側の面（インク吐出面）に開口部が設けられている。複数の記録素子のノズルは、記録ヘッド２３１の搬送装置２１との対向面において、記録媒体Ｐの搬送方向（Ｙ方向）と直交する幅方向（Ｘ方向）に記録媒体Ｐへの記録幅に亘って配列されている。記録素子は、例えばＸ方向に等間隔に配列される。なお、記録素子のノズルの列は、搬送方向と交差する向きに配置されていればよく、必ずしも搬送方向に直交する方向に配置されていなくてもよい。ヘッドユニット２３に含まれる記録素子のＸ方向についての配置範囲は、搬送装置２１の外周面に載置され搬送される記録媒体Ｐのうち画像が記録される領域のＸ方向の幅をカバーしており、ヘッドユニット２３は、画像の記録時には搬送装置２１に対して位置が固定されて用いられる。即ち、インクジェット記録装置１は、シングルパス形式のインクジェット記録装置である。
【００２５】  記録ヘッド２３１から吐出されるインクとしては、温度によってゲル状又はゾル状に相変化し、また紫外線等のエネルギー線を照射することにより硬化する性質を有するものが用いられる。  記録ヘッド２３１は、図示しないインク加熱部を備える。当該インク加熱部は、制御部４０による制御下で動作し、ゾル状となる温度にインクを加熱する。記録ヘッド２３１は、加熱されてゾル状となったインクを吐出する。
【００２６】  定着部２４は、幅方向に搬送装置２１の幅に亘って配置された発光部を有し、搬送ベルト２１ｂの外周面に載置された記録媒体Ｐに対して当該発光部から紫外線等のエネルギー線を照射して記録媒体Ｐ上に吐出されたインクを硬化させて定着させる。定着部２４は、搬送方向についてヘッドユニット２３の下流側に搬送ベルト２１ｂの外周面と対向して配置される。
【００２７】  排紙部３０は、受け渡しドラム３１と、デリバリー部３２と、排紙トレー３３とを有する。  受け渡しドラム３１は、搬送装置２１により搬送された記録媒体Ｐを定着部２４の搬送方向下流側で受け取ってデリバリー部３２に引き渡す。なお、搬送装置２１からデリバリー部３２へ記録媒体Ｐを受け渡す機構は受け渡しドラム３１を用いたものに限られず、他の公知の機構を用いてもよい。  デリバリー部３２は、内側が２本の搬送ローラー３２ａにより支持された輪状のベルト３２ｂを有し、受け渡しドラム３１により搬送装置２１からベルト３２ｂ上に受け渡された記録媒体Ｐをベルト３２ｂにより搬送して排紙トレー３３に送出する。  排紙トレー３３は、デリバリー部３２により搬送された記録媒体Ｐが載置される板状の部材である。
【００２８】  上記のインクジェット記録装置１の構成要素のうち、搬出ローラー１１ａ、フィーダーボード１２、受け渡しドラム１３、搬送装置２１、受け渡しドラム３１及びデリバリー部３２が搬送手段を構成する。
【００２９】  図２は、インクジェット記録装置１の主要な機能構成を示すブロック図である。  インクジェット記録装置１は、ＣＰＵ４１（Central Processing Unit）（記録制御手段、記録媒体判別手段、搬送制御手段）、ＲＡＭ４２（Random Access Memory）、ＲＯＭ４３（Read Only Memory）及び記憶部４４を有する制御部４０と、給紙部１０の搬出ローラー１１ａ、フィーダーボード１２及び受け渡しドラム１３に接続された給紙部制御回路５１と、搬送装置２１に接続された搬送装置制御回路５２と、記録ヘッド２３１に接続された記録ヘッド制御回路５３と、排紙部３０の受け渡しドラム３１及びデリバリー部３２に接続された排紙部制御回路５４と、外部装置２に接続されたインターフェース５５と、インターフェース５５に接続された操作表示部５６などを備える。ＣＰＵ４１は、バス５７を介してＲＡＭ４２、ＲＯＭ４３、給紙部制御回路５１、搬送装置制御回路５２、記録ヘッド制御回路５３、排紙部制御回路５４及びインターフェース５５と接続されている。
【００３０】  ＣＰＵ４１は、各種演算処理を行い、また、インクジェット記録装置１の全体動作を統括制御する。例えば、ＣＰＵ４１は、給紙部制御回路５１から給紙部１０の搬出ローラー１１ａ、フィーダーボード１２の搬送ローラー１２ａ及び受け渡しドラム１３に各々設けられたモーターの駆動回路へ制御信号を出力させて当該モーターを動作させることで給紙部制御回路５１に給紙部１０の各部を動作させて記録媒体Ｐをフィーダーパイルボード１１から搬出させ、搬送装置２１に搬送させる。また、ＣＰＵ４１は、搬送装置制御回路５２から搬送装置２１の搬送ローラー２１ａに設けられたモーターの駆動回路へ制御信号を出力させて当該モーターを動作させることで搬送装置制御回路５２に搬送装置２１による記録媒体Ｐの搬送動作を行わせる。また、ＣＰＵ４１は、記録媒体Ｐに記録される画像の画像データを記録ヘッド制御回路５３から記録ヘッド２３１へ出力させることで記録ヘッド２３１からインクを吐出させて記録ヘッド２３１に記録媒体Ｐへの画像の記録を行わせる。また、ＣＰＵ４１は、排紙部制御回路５４から受け渡しドラム３１及びデリバリー部３２の搬送ローラー３２ａに各々設けられたモーターの駆動回路へ制御信号を出力させて当該モーターを動作させることで排紙部制御回路５４に排紙部３０の各部を動作させて記録媒体Ｐを排紙トレー３３に搬送させる。
【００３１】  ＲＡＭ４２は、ＣＰＵ４１に作業用のメモリー空間を提供し、一時データを記憶する。また、ＲＡＭ４２には、後述する記録準備状態の記録媒体Ｐの枚数を示す枚数データＤが記憶される。
【００３２】  ＲＯＭ４３は、ＣＰＵ４１により実行される各種制御用のプログラムや設定データ等を格納する。当該プログラムには、後述するジョブ（画像記録命令）に基づいて給紙部１０の各部、搬送装置２１及び記録ヘッド２３１などを動作させて記録媒体Ｐに画像を記録するジョブ実行プログラムや、ジョブ実行プログラムによる動作を停止させるジョブ停止プログラムが含まれている。なお、ＲＯＭ４３に代えてＥＥＰＲＯＭ（Electrically Erasable Programmable Read Only Memory）やフラッシュメモリー等の書き換え可能な不揮発性メモリーが用いられてもよい。
【００３３】  記憶部４４は、ＤＲＡＭ（Dynamic Random Access Memory）等で構成される。記憶部４４には、インターフェース５５を介して外部装置２から入力されるジョブが記憶される。ジョブには、記録媒体Ｐに記録される画像の画像データが含まれる。ジョブの詳細な内容については後述する。
【００３４】  給紙部制御回路５１は、ＣＰＵ４１から入力された信号に基づいて、給紙部１０の搬出ローラー１１ａ、フィーダーボード１２及び受け渡しドラム１３を動作させるための制御信号を搬出ローラー１１ａ、フィーダーボード１２及び受け渡しドラム１３に各々出力する。
【００３５】  搬送装置制御回路５２は、ＣＰＵ４１から入力された信号に基づいて、搬送装置２１を動作させるための制御信号を搬送装置２１に出力する。
【００３６】  記録ヘッド制御回路５３は、ＣＰＵ４１から入力された信号及び記憶部４４に記憶された画像データに基づいて、記録ヘッド２３１の駆動回路から記録素子の圧電素子に印加される駆動電圧のタイミング及び／又は大きさを定める制御信号（画像データ）を記録ヘッド２３１に出力する。
【００３７】  排紙部制御回路５４は、ＣＰＵ４１から入力された信号に基づいて、排紙部３０の受け渡しドラム３１及びデリバリー部３２を動作させるための制御信号を受け渡しドラム３１及びデリバリー部３２に各々出力する。
【００３８】  インターフェース５５は、外部装置２及び操作表示部５６との間でデータの送受信を行う手段であり、各種シリアルインターフェース、各種パラレルインターフェースのいずれか又はこれらの組み合わせで構成される。
【００３９】  操作表示部５６は、液晶表示装置等の表示装置と、当該表示装置上に取り付けられた光透過性のタッチパネル等の入力装置とを備える。操作表示部５６は、ユーザーからの入力操作を受け付けて当該入力操作に対応する信号を出力する。例えば、操作表示部５６では、ユーザーからの非常停止指示に係る入力操作が行われる。また、操作表示部５６は、インクジェット記録装置１の動作状態などを示す表示を行う。
【００４０】  外部装置２は、例えばパーソナルコンピューターであり、インクジェット記録装置１で記録される画像の画像データ等を含むジョブをインターフェース５５を介して制御部４０に出力する。
【００４１】  次に、インクジェット記録装置１における記録媒体Ｐへの画像記録動作について説明する。
【００４２】  インクジェット記録装置１では、外部装置２からインターフェース５５を介して制御部４０にジョブが供給されて記憶部４４に記憶されると、当該ジョブに基づいて画像記録動作が行われる。
【００４３】  図３Ａ及び図３Ｂは、ジョブの内容例を説明する図である。  図３Ａに示されるように、ジョブ６０には、記録媒体Ｐに記録される画像の画像データ６１と、当該画像の記録に係る設定情報６２とが含まれている。  画像データ６１は、インクジェット記録装置１で利用可能なビットマップなどのラスター形式の画像である。画像データ６１は、例えば外部装置２において所定のページ記述言語（ＰＤＬ）で記述されたベクター形式の画像をラスター形式の画像に変換（ラスタライズ処理）し、所定のハーフトーン処理を行って得られた画像データである。ここで行われるハーフトーン処理としては、例えばディザマトリクスを用いたスクリーン処理や、誤差拡散処理などが挙げられる。なお、ラスタライズ処理及び／又はハーフトーン処理は、インクジェット記録装置１の制御部４０において行われてもよい。
【００４４】  図３Ｂには、記憶部４４に記憶された複数のジョブ６０に係る設定情報６２の内容例が示されている。設定情報６２は、ジョブ６０ごとに当該ジョブ６０に基づいて画像が記録される記録媒体Ｐの種別及び枚数を示すデータを含んでいる。図３Ｂでは、記録媒体Ｐの種別を示すデータとして記録媒体Ｐの種別を直接指定するデータ「Ｐ１」、「Ｐ２」が記憶されている例が示されている。  なお、図３Ｂの例では、記録媒体Ｐの使用枚数を示すデータが示されているが、ジョブ６０で使用される画像データのページ数を示すデータと、画像の記録を行う部数とを示すデータとが設定情報６２に含まれ、当該ページ数と部数との積により記録媒体Ｐの使用枚数が取得される態様であってもよい。  また、設定情報６２には、図３Ｂに示されたデータ以外に、ジョブ６０で使用される画像データのファイル名、ジョブ６０の作成が行われた外部装置、両面印刷の有無、その他画像記録に係る各種の条件などを示すデータが含まれていてもよい。
【００４５】  複数のジョブ６０は、図３Ｂに示されるように、記憶部４４に入力された順にジョブＩＤが設定されて記憶部４４に記憶される。インクジェット記録装置１では、このジョブＩＤにより示される順序でジョブ６０が実行される。本実施形態では、記憶部４４に入力された順にジョブＩＤ「０１」〜「０６」が各ジョブ６０に設定され、当該ジョブＩＤが示す数値が小さい順にジョブ６０が実行される。
【００４６】  インクジェット記録装置１では、ジョブ６０が記憶部４４に記憶されると、各ジョブ６０に係るジョブ実行処理をジョブＩＤにより示される順序で実行する画像記録処理が行われる。各ジョブ実行処理では、ジョブ６０の設定情報６２に示された種別の記録媒体Ｐが、設定情報６２に示された枚数だけフィーダーパイルボード１１からフィーダーボード１２に供給され、フィーダーボード１２から受け渡しドラム１３を介して１枚ずつ搬送装置２１に搬送される。そして、搬送装置２１により搬送される記録媒体Ｐに対してジョブ６０に含まれる画像データ６１に基づいて記録ヘッド２３１により画像が記録され、画像が記録された記録媒体Ｐが排紙部３０に搬送される。  このように、ジョブ実行処理では、ジョブ６０の設定情報６２に示された枚数だけ記録媒体Ｐがフィーダーパイルボード１１から搬出されてフィーダーボード１２、受け渡しドラム１３及び搬送装置２１に供給されるため、ジョブ実行処理の終了時には、フィーダーボード１２、受け渡しドラム１３及び搬送装置２１に記録媒体Ｐが配置されていない状態となる。
【００４７】  一方、実行中のジョブ実行処理が中止された場合、即ちジョブ実行処理が完了する前に停止されて当該ジョブ実行処理に係るジョブ６０が破棄された場合には、フィーダーパイルボード１１から供給され記録ヘッド２３１による画像の記録が行われる前の状態（記録準備状態）の記録媒体Ｐがフィーダーボード１２、受け渡しドラム１３又は搬送装置２１に残留した状態となる場合がある。本実施形態のインクジェット記録装置１では、このような場合に、ジョブ実行処理が中止されたジョブ６０により示される記録媒体Ｐの種別（現種別）と、実行順序が当該破棄されたジョブ６０に次ぐジョブ６０により示される記録媒体Ｐの種別（次種別）とが同一であるか否かが判別される。そして、記録媒体Ｐの種別が同一であると判別された場合には、記録準備状態の記録媒体Ｐは、搬送及び排紙がなされることなく当該記録準備状態に維持される。その後、実行順序が当該破棄されたジョブ６０に次ぐジョブ６０に係るジョブ実行処理が開始された場合には、この記録準備状態の記録媒体Ｐが用いられる。
【００４８】  以下では、ジョブ実行処理を含む画像記録処理、及びジョブ実行処理が中止される際に行われるジョブ中止処理について説明する。
【００４９】  図４は、画像記録処理の制御手順を示すフローチャートである。  この画像記録処理は、例えばインターフェース５５を介して外部装置２からジョブ６０が制御部４０に入力され記憶部４４に記憶された場合に実行される。また、画像記録処理は、実行順序が最も早いジョブ６０において設定された種別の記録媒体Ｐがフィーダーパイルボード１１に集積された状態で開始される。
【００５０】  ＣＰＵ４１は、記憶部４４に記憶されたジョブ６０のうち、ジョブＩＤにより示される実行順序が最も早いジョブ６０に係るデータを取得する（ステップＳ１１）。
【００５１】  ＣＰＵ４１は、フィーダーボード１２、受け渡しドラム１３又は搬送装置２１に記録準備状態の記録媒体Ｐが載置されているか否かを判別する（ステップＳ１２）。具体的には、ＣＰＵ４１は、ＲＡＭ４２に記憶された、記録準備状態の記録媒体Ｐの枚数を示す枚数データＤに基づいて当該判別を行う。
【００５２】  記録準備状態の記録媒体Ｐがないと判別された場合、即ちＲＡＭ４２に記憶された枚数データＤにより示される値が０である場合には（ステップＳ１２で“ＮＯ”）、ＣＰＵ４１は、給紙部制御回路５１から給紙部１０の搬出ローラー１１ａ、フィーダーボード１２及び受け渡しドラム１３へ制御信号を出力させて、記録媒体Ｐをフィーダーパイルボード１１から搬出させ、フィーダーボード１２に載置させる（ステップＳ１３）。なお、設定情報６２に設定されている枚数の記録媒体Ｐをフィーダーボード１２に一度に載置できない場合には、ＣＰＵ４１は、給紙部１０の各部によりフィーダーボード１２に載置可能な枚数だけ記録媒体Ｐを搬出させ、後述するステップＳ１４でフィーダーボード１２から搬送装置２１へ記録媒体Ｐが供給されるごとに新たに記録媒体Ｐをフィーダーパイルボード１１から搬出させてフィーダーボード１２上に載置させる。
【００５３】  ＣＰＵ４１は、ステップＳ１１で取得されたジョブ６０に係るデータに基づいて給紙部１０及び画像記録部２０の各部を動作させて搬送装置２１により搬送される記録媒体Ｐに画像を記録させる（ステップＳ１４；記録ステップ）。詳しくは、ＣＰＵ４１は、給紙部制御回路５１からフィーダーボード１２及び受け渡しドラム１３へ制御信号を出力させてフィーダーボード１２及び受け渡しドラムにより記録媒体Ｐをフィーダーボード１２から搬送装置２１に１枚ずつ搬送させ、搬送ベルト２１ｂの外周面に載置させる。また、ＣＰＵ４１は、搬送装置制御回路５２から搬送装置２１へ制御信号を出力させて搬送装置２１に記録媒体Ｐを搬送させる。そして、ＣＰＵ４１は、ジョブ６０の画像データ６１を記録ヘッド制御回路５３から記録ヘッド２３１へ出力させることで、搬送装置２１により搬送される記録媒体Ｐ上に記録ヘッド２３１からインクを吐出させて記録媒体Ｐに画像を記録させる。また、ＣＰＵ４１は、画像が記録された記録媒体Ｐを搬送装置２１により定着部２４の位置に搬送させ、記録媒体Ｐ上のインクを定着部２４により定着させる。また、ＣＰＵ４１は、排紙部制御回路５４から受け渡しドラム３１及びデリバリー部３２へ制御信号を出力させて受け渡しドラム３１及びデリバリー部３２によりインクが定着された記録媒体Ｐを搬送装置２１から受け取らせ、排紙トレー３３に搬送させる。ＣＰＵ４１は、ジョブ６０の設定情報６２により設定された枚数分、ステップＳ１４の処理を繰り返し実行する。
【００５４】  ステップＳ１２で記録準備状態の記録媒体Ｐがあると判別された場合、即ちＲＡＭ４２に記憶された枚数データＤにより示される値が０以外である場合には（ステップＳ１２で“ＹＥＳ”）、ＣＰＵ４１は、処理をステップＳ１４に移行させる。この場合、ＣＰＵ４１は、ステップＳ１４においてフィーダーパイルボード１１から新たに搬出されて搬送装置２１に供給される記録媒体Ｐの枚数を、設定情報６２により設定された値からＲＡＭ４２の枚数データＤに示される値を差し引いた値に設定する。
【００５５】  上記のステップＳ１１からステップＳ１４までが、ジョブ実行処理に相当する。ＣＰＵ４１は、一のジョブ実行処理が終了すると（即ちステップＳ１４が終了すると）、ＲＡＭ４２に記憶された枚数データＤを０に更新する。
【００５６】  ＣＰＵ４１は、実行されていないジョブ６０が記憶部４４に記憶されているか否かを判別する（ステップＳ１５）。実行されていないジョブが記憶部４４に記憶されていると判別された場合には（ステップＳ１５で“ＹＥＳ”）、ＣＰＵ４１は、ステップＳ１４で終了したジョブ実行処理に係るジョブ６０により示される記録媒体Ｐの種別と、実行順序が当該ジョブ６０に次ぐジョブ６０により示される記録媒体Ｐの種別とが同一であるか否かを判別する（ステップＳ１６）。
【００５７】  ステップＳ１６において記録媒体Ｐの種別が同一であると判別された場合には（ステップＳ１６で“ＹＥＳ”）、ＣＰＵ４１は、処理をステップＳ１１に移行させて未実行のジョブ６０に係るジョブ実行処理を行う。
【００５８】  ステップＳ１６において記録媒体Ｐの種別が異なると判別された場合には（ステップＳ１６で“ＮＯ”）、フィーダーパイルボード１１に集積されている記録媒体Ｐを、未実行のジョブ６０のうち実行順序が最も早いジョブ６０（次のジョブ６０）で設定されている種別の記録媒体Ｐに交換する（ステップＳ１７）。ステップＳ１７は、ユーザーの手により行われてもよいし、複数のフィーダーパイルボード１１に予め各々異なる種別の記録媒体Ｐを集積させておき、ＣＰＵ４１による制御下でフィーダーパイルボード１１を入れ替える所定の入れ換え処理が実行されることにより行われてもよい。  ステップＳ１７が終了すると、ＣＰＵ４１は、処理をステップＳ１１に移行させて未実行のジョブ６０に係るジョブ実行処理を行う。
【００５９】  ステップＳ１５において、記憶部４４に未実行のジョブ６０が記憶されていないと判別された場合には（ステップＳ１５で“ＮＯ”）、ＣＰＵ４１は、インクジェット記録装置１の停止処理を行う（ステップＳ１８）。ここでは、ＣＰＵ４１は、インクジェット記録装置１の各部を画像記録処理の開始時の状態として設定されている所定の状態に移行させる。  ステップＳ１８が終了すると、ＣＰＵ４１は、画像記録処理を終了させる。
【００６０】  次に、インクジェット記録装置１において実行されるジョブ中止処理について説明する。
【００６１】  図５は、ジョブ中止処理の制御手順を示すフローチャートである。  このジョブ中止処理は、画像記録処理にてジョブ実行処理が行われているインクジェット記録装置１において外部装置２又は操作表示部５６におけるユーザーからの入力操作に応じてジョブ６０の中止指示に係る割り込み要求信号が送信された場合に実行される。これ以外にも、このジョブ中止処理は、インクジェット記録装置１による画像の記録に問題を生じさせうる所定の構成要素において生じた動作エラーに基づいてＣＰＵ４１にジョブ６０の中止指示に係る割り込み要求信号が送信された場合、あるいは地震の発生や、インクジェット記録装置１が安全確保のために格納庫に収められている場合において当該格納庫の扉が開けられる等の特定の条件が満たされたときに外部装置２からインターフェース５５を介してＣＰＵ４１にジョブ６０の中止指示に係る割り込み要求信号が送信された場合などに実行される。
【００６２】  上記の割り込み要求信号が入力されると、ＣＰＵ４１は、給紙部１０、搬送装置２１及び記録ヘッド２３１がジョブ実行処理に係る動作を行っている場合に、当該動作を停止させる（ステップＳ２１；記録中止ステップ）。
【００６３】  ＣＰＵ４１は、フィーダーボード１２、受け渡しドラム１３又は搬送装置２１に記録準備状態の記録媒体Ｐが配置されているか否かを判別する（ステップＳ２２）。具体的には、ＣＰＵ４１は、ステップＳ２１においてジョブ実行処理に係る動作が停止されたジョブ６０（中止されたジョブ６０）において設定された記録媒体Ｐの枚数から、当該ジョブ実行処理において既に搬送装置２１に供給され画像の記録が行われた記録媒体Ｐの枚数を差し引いた値が０以外の値である場合に、記録準備状態の記録媒体Ｐが載置されていると判別する。
【００６４】  記録準備状態の記録媒体Ｐがあると判別された場合には（ステップＳ２２で“ＹＥＳ”）、ＣＰＵ４１は、中止されたジョブ６０に次ぐ実行順序のジョブ６０（次のジョブ６０）が記憶部４４に記憶されているか否かを判別する（ステップＳ２３）。
【００６５】  次のジョブ６０が記憶部４４に記憶されていると判別された場合には（ステップＳ２３で“ＹＥＳ”）、ＣＰＵ４１は、中止されたジョブ６０により示される記録媒体Ｐの種別（現種別）と次のジョブ６０により示される記録媒体Ｐの種別（次種別）とが同一であるか否かを判別する（ステップＳ２４；記録媒体判別ステップ）。
【００６６】  現種別と次種別とが同一であると判別された場合には（ステップＳ２４で“ＹＥＳ”）、ＣＰＵ４１は、フィーダーボード１２、受け渡しドラム１３又は搬送装置２１に載置された記録準備状態の記録媒体Ｐを搬送させることなく当該記録準備状態に維持させる（ステップＳ２５；搬送制御ステップ）。ステップＳ２５では、ＣＰＵ４１は、ＲＡＭ４２に記憶された枚数データＤを、記録準備状態にある記録媒体Ｐの枚数を示す値に更新する。詳しくは、ＣＰＵ４１は、枚数データＤを、中止されたジョブ６０において設定された記録媒体Ｐの枚数から、当該中止されたジョブ６０に係るジョブ実行処理において既に搬送装置２１に供給され記録ヘッド２３１による画像の記録が行われた記録媒体Ｐの枚数を差し引いた値に更新する。
【００６７】  ステップＳ２３において次のジョブ６０が記憶部４４に記憶されていないと判別された場合（ステップＳ２３で“ＮＯ”）、又はステップＳ２４において現種別と次種別とが異なると判別された場合には（ステップＳ２４で“ＮＯ”）、ＣＰＵ４１は、記録準備状態の記録媒体Ｐを排紙部３０の排紙トレー３３に搬送させて排紙させる（ステップＳ２６）。
【００６８】  ステップＳ２５又はステップＳ２６が終了すると、ＣＰＵ４１は、インクジェット記録装置１の停止処理を行う（ステップＳ２７）。ここでは、ＣＰＵ４１は、画像記録処理のステップＳ１６の動作と同様に、インクジェット記録装置１の各部を画像記録処理の開始時の状態として設定されている状態に移行させる。  また、ステップＳ２２において、記録準備状態の記録媒体Ｐがないと判別された場合には（ステップＳ２２で“ＮＯ”）、ＣＰＵ４１は、処理をステップＳ２７に移行させる。  ステップＳ２７の処理が終了すると、ＣＰＵ４１は、ジョブ中止処理を終了させる。
【００６９】  以上のように、本実施形態に係るインクジェット記録装置１は、記録媒体Ｐが集積されたフィーダーパイルボード１１から供給された記録媒体Ｐを搬送する搬出ローラー１１ａ、フィーダーボード１２、受け渡しドラム１３及び搬送装置２１（搬送手段）と、搬送装置２１により搬送される記録媒体Ｐに対して画像を記録する記録ヘッド２３１と、ＣＰＵ４１とを備え、ＣＰＵ４１は、ジョブ６０に基づいて記録ヘッド２３１に画像を記録させ（記録制御手段）、実行中のジョブ６０が記録制御手段としてのＣＰＵ４１により中止されたときにフィーダーボード１２、受け渡しドラム１３及び搬送装置２１により搬送されていた記録媒体Ｐの種別を示す現種別と、中止されたジョブ６０の次のジョブ６０において設定されている記録媒体Ｐの種別を示す次種別とが同一であるか否かを判別し（記録媒体判別手段）、現種別と次種別とが同一であると判別された場合に、フィーダーパイルボード１１から供給され記録ヘッド２３１による画像の記録が行われる前の記録準備状態にある記録媒体Ｐのうち少なくとも一部をフィーダーボード１２、受け渡しドラム１３及び搬送装置２１により当該記録準備状態に維持させる（搬送制御手段）。これにより、ジョブ６０が中止された場合において記録媒体Ｐの現種別と次種別とが同一の場合に、次のジョブ６０において設定されている記録媒体Ｐがフィーダーボード１２、受け渡しドラム１３及び搬送装置２１のうち少なくとも一部に配置された状態となる。よって、次のジョブ６０の実行に際し当該記録媒体Ｐを用いることで記録媒体Ｐを効率良く搬送して画像を記録することができる。また、このように記録準備状態に維持された記録媒体Ｐを次のジョブ６０に基づく画像の記録に利用することができるため、記録媒体Ｐの損失を抑制させて損紙を減少させることができる。また、次のジョブ６０に係るジョブ実行処理を行う場合に、フィーダーパイルボード１１からフィーダーボード１２への記録媒体Ｐの供給を行わなくても記録準備状態の記録媒体Ｐを用いて画像の記録を開始することができるため、画像記録開始までの待機時間を短くすることができる。また、画像の記録が行われていない未使用の記録媒体Ｐが記録準備状態に維持されることで、画像の記録が行われた記録媒体Ｐと未使用の記録媒体Ｐとが排紙トレー３３において混在する可能性を低減させることができる。
【００７０】  また、搬送制御手段としてのＣＰＵ４１は、記録制御手段としてのＣＰＵ４１が次のジョブ６０に基づいて記録ヘッド２３１に画像を記録させる場合において、記録準備状態に維持された記録媒体Ｐがあるか否かを判別し、記録準備状態に維持された記録媒体Ｐがある場合に当該記録媒体Ｐを搬送装置２１により搬送させ、記録準備状態に維持された記録媒体がない場合にフィーダーパイルボード１１からフィーダーボード１２に供給された記録媒体Ｐをフィーダーボード１２により搬送させる（搬送制御手段）。これにより、記録準備状態の記録媒体Ｐを用いて記録媒体Ｐを効率良く搬送して画像を記録することができる。
【００７１】  （変形例１）  次に、上記実施形態の変形例１について説明する。この変形例１は、他の変形例と組み合わされても良い。  本変形例１では、ステップＳ２６で記録準備状態の記録媒体Ｐのうちフィーダーボード１２に載置された記録媒体Ｐがフィーダーパイルボード１１に返送される例を説明する。その他の点は上記実施形態と同様であるため、以下では上記実施形態との差異を中心に説明する。
【００７２】  図６は、変形例１に係る給紙部１０及び記録媒体返送部７０（記録媒体返送手段）の概略構成を示す図である。  本変形例１に係る給紙部１０は、フィーダーボード１２と受け渡しドラム１３との間に配置された搬送部１５と、当該搬送部１５とフィーダーボード１２との間に配置されたガイド部材１４とを有する。  ガイド部材１４は、所定の回転軸を中心に回転することで図６において破線で示された搬送位置と実線で示された排出位置との間で変位する板状の部材である。ガイド部材１４は、搬送位置にある場合にフィーダーボード１２から搬送される記録媒体Ｐが搬送部１５上に搬送されるように記録媒体Ｐを支持する一方、排出位置にある場合に当該支持が行われないことでフィーダーボード１２から搬送される記録媒体Ｐが記録媒体返送部７０に排出されるように記録媒体Ｐを誘導する。  搬送部１５は、一対の搬送ローラーにより支持された輪状のベルトを備え、ベルト上に記録媒体Ｐが載置された状態で搬送ローラーが回転してベルトが移動することで記録媒体Ｐを搬送する。搬送部１５により搬送された記録媒体Ｐは、受け渡しドラム１３に引き渡される。
【００７３】  記録媒体返送部７０は、複数の搬送ローラー７１と、搬送部７２とを有する。記録媒体返送部７０は、ガイド部材１４が排出位置とされることにより給紙部１０から排出された記録媒体Ｐを搬送ローラー７１の組により挟持し、当該搬送ローラー７１の回転に応じて搬送路７３に沿って搬送する。図６では、簡便のため搬送路７３が１本の実線で描かれているが、搬送路７３は、記録媒体Ｐのうち搬送ローラー７１により挟持されていない部分を支持する支持部材を備えていてもよい。搬送路７３に沿って搬送された記録媒体Ｐは、搬送部７２に載置される。  搬送部７２は、一対の搬送ローラーにより支持された輪状のベルトを備え、ベルト上に記録媒体Ｐが載置された状態で搬送ローラーが回転してベルトが移動することで記録媒体Ｐを搬送する。搬送部７２は、記録媒体Ｐをフィーダーパイルボード１１まで搬送して当該フィーダーパイルボード１１に送出し、積層させる。
【００７４】  本変形例１では、ジョブ中止処理のステップＳ２６が開始されると、ＣＰＵ４１による制御下でガイド部材１４が排出位置とされる。そして、フィーダーボード１２に載置されている記録準備状態の記録媒体Ｐが給紙部１０から記録媒体返送部７０に排出され、記録媒体返送部７０の搬送路７３を経てフィーダーパイルボード１１に返送される。  なお、上記のように記録媒体返送部７０により記録媒体Ｐをフィーダーパイルボード１１に返送する態様に代えて、フィーダーボード１２に記録媒体Ｐが載置された状態でフィーダーボード１２の搬送ローラー１２ａを画像記録処理での回転方向とは逆方向に回転させ、記録媒体Ｐをフィーダーパイルボード１１に向かう方向に搬送させることでフィーダーパイルボード１１に返送する態様であってもよい。この場合は、フィーダーボード１２により記録媒体返送手段が構成される。
【００７５】  このように、本変形例１に係るインクジェット記録装置１は、フィーダーパイルボード１１からフィーダーボード１２に供給された記録媒体Ｐをフィーダーパイルボード１１に搬送する記録媒体返送部７０を備え、ＣＰＵ４１は、記録媒体判別手段としてのＣＰＵ４１により記録媒体Ｐの現種別と次種別とが異なると判別された場合に、記録準備状態にある記録媒体Ｐのうち記録媒体返送部７０により搬送可能な少なくとも一部を記録媒体返送部７０によりフィーダーパイルボード１１に搬送させる（搬送制御手段）。これにより、記録準備状態の記録媒体Ｐを排紙トレー３３から選択して取り出すことなく容易に再利用することができる。
【００７６】  （変形例２）  次に、上記実施形態の変形例２について説明する。この変形例２は、他の変形例と組み合わされても良い。  本変形例２では、画像記録処理において画像が記録された記録媒体Ｐと、ジョブ中止処理のステップＳ２６で排紙される記録準備状態の記録媒体Ｐとが異なる排紙トレー（排出先）に搬送される。その他の点は上記実施形態と同様であるため、以下では上記実施形態との差異を中心に説明する。
【００７７】  図７は、変形例２に係る排紙部３０の概略構成を示す図である。  本変形例１に係る排紙部３０は、搬送部３２１，３２２，３２３からなるデリバリー部３２と、搬送部３２１及び搬送部３２２の間に配置されたガイド部材３４（切替手段）と、２つの排紙トレー３３ａ，３３ｂとを有する。  搬送部３２１，３２２，３２３は、それぞれ一対の搬送ローラーにより支持された輪状のベルトを備え、ベルト上に記録媒体Ｐが載置された状態で搬送ローラーが回転してベルトが移動することで記録媒体Ｐを搬送する。搬送部３２１は、受け渡しドラム３１により搬送装置２１から受け渡された記録媒体Ｐを搬送部３２２又は搬送部３２３に搬送する。  ガイド部材３４は、所定の回転軸を中心に回転することで図７において破線で示された第１位置と実線で示された第２位置との間で変位する板状の部材である。ガイド部材３４は、第１位置にある場合に搬送部３２１から搬送される記録媒体Ｐが搬送部３２２上に搬送されるように記録媒体Ｐを支持する一方、第２位置にある場合に当該支持が行われないことで搬送部３２１から搬送される記録媒体Ｐが搬送部３２３上に搬送されるように記録媒体Ｐを誘導する。  搬送部３２２は、記録媒体Ｐを排紙トレー３３ａまで搬送して当該排紙トレー３３ａに積層させる。また、搬送部３２３は、記録媒体Ｐを排紙トレー３３ｂまで搬送して当該排紙トレー３３ｂに積層させる。
【００７８】  本変形例２では、画像記録処理が開始されると、ＣＰＵ４１による制御下でガイド部材３４が第１位置とされ、画像記録処理のステップＳ１４において画像の記録が行われた記録媒体Ｐは、搬送部３２１，３２２により搬送されて排紙トレー３３ａに積層される。一方、ジョブ中止処理が開始され、ジョブ中止処理のステップＳ２６において記録準備状態の記録媒体Ｐが排紙される場合には、ＣＰＵ４１による制御下でガイド部材３４が第２位置とされ、記録媒体Ｐは、搬送部３２１，３２３により搬送されて排紙トレー３３ｂに積層される。
【００７９】  このように、本変形例２に係るインクジェット記録装置１では、搬送装置２１、受け渡しドラム３１及びデリバリー部３２により搬送される記録媒体Ｐの排出先を切り替えるガイド部材３４を備え、ＣＰＵ４１は、記録媒体判別手段としてのＣＰＵ４１により記録媒体Ｐの現種別と次種別とが異なると判別された場合に、ガイド部材３４により排出先の切り替えを行わせて、記録ヘッド２３１により画像が記録された記録媒体Ｐと記録準備状態にある記録媒体Ｐとを搬送装置２１、受け渡しドラム３１及びデリバリー部３２により互いに異なる排出先（排紙トレー３３ａ，３３ｂ）に搬送させる（搬送制御手段）。これにより、画像が記録された記録媒体Ｐの排出先とは異なる排出先に記録準備状態の記録媒体Ｐをすべて搬送することができる。よって、記録準備状態の記録媒体Ｐを排紙トレーから選択して取り出すことなく容易に再利用することができる。
【００８０】  （変形例３）  次に、上記実施形態の変形例３について説明する。この変形例３は、他の変形例と組み合わされても良い。  本変形例３では、ＣＰＵ４１は、図５に示されるジョブ中止処理のステップＳ２１に先立って、記録ヘッド２３１による画像の記録が行われているか否かの判別を行う。そして、記録ヘッド２３１による画像の記録が行われていないと判別された場合に処理をステップＳ２１に移行させ、記録ヘッド２３１による画像の記録が行われていると判別された場合には、記録中の記録媒体Ｐへの画像の記録が終了した後に処理をステップＳ２１へ移行させる。その他の点は、上記実施形態と同様である。
【００８１】  このように、本変形例３に係るインクジェット記録装置１では、ＣＰＵ４１は、ジョブ６０を中止させると判断したときに記録ヘッド２３１により記録媒体Ｐに対して画像の記録が行われている場合に、記録ヘッド２３１による当該記録媒体Ｐへの画像の記録が終了した後に記録ヘッド２３１による画像の記録を中止させる（記録制御手段）。これにより、ジョブ６０が中止される際に行われている画像の記録を完了させることができ、記録媒体Ｐの損失を抑制することができる。
【００８２】  （変形例４）  次に、上記実施形態の変形例４について説明する。この変形例４は、他の変形例と組み合わされても良い。  本変形例４では、図５に示されるジョブ中止処理のステップＳ２５において、記録準備状態の記録媒体Ｐのうちの一部、即ちフィーダーボード１２に載置されている記録媒体Ｐのみ搬送させず記録準備状態に維持させ、受け渡しドラム１３及び搬送装置２１に位置する記録準備状態の記録媒体Ｐを排紙部３０に搬送して排出させる。その他の点は、上記実施形態と同様である。
【００８３】  このように、本変形例４に係るインクジェット記録装置１の搬送手段は、フィーダーパイルボード１１から供給された記録媒体Ｐを搬送するフィーダーボード１２と、フィーダーボード１２により搬送された記録媒体Ｐを搬送する搬送装置２１と、を備え、記録ヘッド２３１は、搬送装置２１により搬送される記録媒体Ｐに画像を記録し、ＣＰＵ４１は、記録媒体Ｐの現種別と次種別とが同一であると判別された場合に、フィーダーボード１２により搬送されていた記録準備状態の記録媒体Ｐを記録準備状態に維持させる（搬送制御手段）。これにより、フィーダーボード１２の動作が制御されることで、受け渡しドラム１３、搬送装置２１などの動作に関わらず記録媒体Ｐを当該記録準備状態に維持させることができる。よって、例えばジョブ６０が中止された際に定着部２４でのインクの定着が未だ行われていない記録媒体Ｐを搬送装置２１により定着部２４の位置に搬送してインクの定着を行わせる一方で、フィーダーボード１２に載置された記録媒体Ｐを記録準備状態に維持させることができる。また、フィーダーパイルボード１１から搬送装置２１への記録媒体Ｐの搬送と、搬送装置２１による画像の記録に適した態様での記録媒体Ｐの搬送とを併せて実現させることができ、円滑に記録媒体Ｐを搬送させてジョブ６０に係る画像の記録を行うことができる。
【００８４】  なお、本発明は、上記実施形態及び各変形例に限られるものではなく、様々な変更が可能である。  例えば、上記実施形態及び各変形例では、図５に示されるジョブ中止処理において次のジョブ６０がある場合に記録媒体Ｐの現種別と次種別とが同一であるか否かを判別して記録媒体Ｐを記録準備状態に維持するか否かの判断を行う例を説明したが、これに限定する趣旨ではない。例えば、次のジョブ６０がないと判別された場合に記録準備状態の記録媒体Ｐを記録準備状態に維持させておき、次のジョブ６０が外部装置２から入力された場合に記録媒体Ｐの現種別と次種別とが同一であるか否かを判別して記録媒体Ｐを記録準備状態に維持するか否かの判断を行う態様であってもよい。
【００８５】  また、上記実施形態及び各変形例では、給紙部１０に単一のフィーダーパイルボード１１を設けて当該フィーダーパイルボード１１から記録媒体Ｐを搬出させ、設定されている記録媒体Ｐの種別が異なるジョブ６０に係るジョブ実行処理を行う場合にはフィーダーパイルボード１１に集積された記録媒体Ｐ又はフィーダーパイルボード１１そのものを交換する例を説明したが、これに限定する趣旨ではない。例えば、各々異なる種別の記録媒体Ｐが集積された複数のフィーダーパイルボード１１を給紙部１０に設け、ジョブにより設定された種別の記録媒体Ｐが集積されたフィーダーパイルボード１１から記録媒体Ｐを搬出してフィーダーボード１２を介して搬送装置２１に供給する態様であってもよい。
【００８６】  また、上記実施形態及び各変形例では、ＣＰＵ４１がＲＡＭ４２に記憶された枚数データＤを参照することにより記録準備状態の記録媒体Ｐの枚数を特定する例を説明したが、記録準備状態の記録媒体Ｐの枚数は、他の方法で特定されてもよい。例えば、フィーダーボード１２、受け渡しドラム１３及び搬送装置２１などに設けられた各種公知のセンサーにより記録準備状態の記録媒体Ｐの枚数を直接特定する態様であってもよい。
【００８７】  また、上記変形例３では、ジョブ６０が中止される際に記録ヘッド２３１による記録媒体Ｐへの画像の記録が行われている場合に記録中の記録媒体Ｐへの画像の記録が終了した後に記録ヘッド２３１による画像の記録動作を停止させる例を説明したが、これに限られず、安全上の理由でジョブ６０を中止させる場合などにおいて記録ヘッド２３１による画像の記録動作を即時に停止させるようにしてもよい。
【００８８】  また、上記実施形態及び各変形例では、記録媒体Ｐへの画像の記録が行われる際に当該記録媒体Ｐを搬送する搬送装置として搬送ベルト２１ｂを有する搬送装置２１を例に説明したが、搬送装置の種類はこれに限定されず、種々の公知の搬送装置を用いることができる。例えば、円柱面状の外周面を有する搬送ドラムの当該外周面に記録媒体Ｐを保持させた状態で搬送ドラムを回転させることで記録媒体Ｐを搬送するドラムタイプの搬送装置を用いてもよい。
【００８９】  また、上記実施形態では、常温でゲル状であり加熱されることによりゾル状となるインクをゾル状に加熱して吐出するインクジェット記録装置１を例に説明したが、これに限定する趣旨ではなく、常温でゾル状又は液体であるインクを含む種々の公知のインクを用いてもよい。
【００９０】  また、上記実施形態では、シングルパス形式のインクジェット記録装置１を例に説明したが、記録ヘッドを主走査方向（記録媒体Ｐの搬送方向と直交する方向）に走査させながら画像の記録を行うインクジェット記録装置に本発明を適用してもよい。
【００９１】  また、上記実施形態及び各変形例では、画像記録装置としてインクジェット方式のインクジェット記録装置１を例にあげて説明したが、画像の記録方式はインクジェット方式に限られず、例えば電子写真方式やオフセット印刷方式などの他の方式であってもよい。
【００９２】  本発明のいくつかの実施形態を説明したが、本発明の範囲は、上述の実施の形態に限定されるものではなく、特許請求の範囲に記載された発明の範囲とその均等の範囲を含む。
【産業上の利用可能性】
【００９３】  本発明は、画像記録装置及び画像記録方法に利用することができる。
【符号の説明】
【００９４】１  インクジェット記録装置２  外部装置１０  給紙部  １１  フィーダーパイルボード    １１ａ  搬出ローラー  １２  フィーダーボード    １２ａ  搬送ローラー    １２ｂ  ベルト  １３  受け渡しドラム  １４  ガイド部材  １５  搬送部２０  画像記録部  ２１  搬送装置    ２１ａ  搬送ローラー    ２１ｂ  搬送ベルト  ２２  加熱部  ２３，２３Ｙ，２３Ｍ，２３Ｃ，２３Ｋ  ヘッドユニット    ２３１  記録ヘッド  ２４  定着部３０  排紙部  ３１  受け渡しドラム  ３２  デリバリー部    ３２ａ  搬送ローラー    ３２ｂ  ベルト    ３２１，３２２，３２３  搬送部  ３３，３３ａ，３３ｂ  排紙トレー  ３４  ガイド部材４０  制御部  ４１  ＣＰＵ  ４２  ＲＡＭ  ４３  ＲＯＭ  ４４  記憶部５１  給紙部制御回路５２  搬送装置制御回路５３  記録ヘッド制御回路５４  排紙部制御回路５５  インターフェース５６  操作表示部５７  バス６０  ジョブ  ６１  画像データ  ６２  設定情報７０  記録媒体返送部  ７１  搬送ローラー  ７２  搬送部  ７３  搬送路Ｄ  枚数データＰ  記録媒体
【図１】
2016117351.tif 000003
【図２】
2016117351.tif 000004
【図３Ａ】
2016117351.tif 000005
【図３Ｂ】
2016117351.tif 000006
【図４】
2016117351.tif 000007
【図５】
2016117351.tif 000008
【図６】
2016117351.tif 000009
【図７】
2016117351.tif 000010
【国際調査報告】
2016117351.tif 000011
2016117351.tif 000012
2016117351.tif 000013
2016117351.tif 000014